(57)【要約】【課題】ごみ袋などのプラスチック袋を複数枚収納した外装袋から収納袋を取り出す際、収納袋の滑りを良くし容易に一枚ずつ取り出すことができ、しかも、外装袋の収納袋取り出し口からの袋の破れを防ぐ補助具を提供すること。【解決手段】外装袋から収納袋を一枚ずつ取り出すために、外装袋の収納袋取り出し口から外装袋と収納袋の間に反発力を有する材質の挿入フレームを挿入し、外装袋と収納袋の間に空間を確保することで外装袋内に余裕ができ収納袋を取り出す際、収納袋の滑りが良くなる、又、外装袋内に挿入フレームを挿入することで、収納袋を取り出す際、外装袋の収納袋取り出し口にかかる負荷が無くなり袋の破け防止になる。【選択図】図１
2011011816.tif 000002
【特許請求の範囲】
【請求項１】
外装袋７から複数枚収納されている収納袋８を一枚ずつ取り出すために、外装袋７の収納袋取り出し口６から反発力を有する材質からなる挿入フレーム１ａ、１ｂで外装袋７内の収納袋８を前後から挟むように外装袋７と収納袋８の間に挿入し、挿入フレーム１ａ、１ｂの反発力を利用して外装袋７と収納袋８の間に空間５を確保することを特徴とする袋取り出し補助具。
【請求項２】
前記、挿入フレーム１ａ、１ｂを外装袋７内に挿入しやすくするため、挿入フレーム１ａと１ｂの間隔を縮めることが容易に出来るよう、挿入フレーム１ａ、１ｂに挿入フレーム押し部２ａ、２ｂを設けたことを特徴とする袋取り出し補助具。
【請求項３】
前記、挿入フレーム１ａ、１ｂの最上部にマグネットを用いたクリップ３ａ、３ｂを左右に設け、クリップ３ａ、３ｂで収納袋取り出し口６の外装袋７を挟み固定し、本発明の補助具と外装袋７が外れないようにすることを特徴とする袋取り出し補助具。
【請求項４】
前記、挿入フレーム１ａ、１ｂを外装袋７内に挿入することで、外装袋７の収納袋取り出し口６が挿入フレーム１ａ、１ｂの各二本ずつ四本のフレームの棒で楕円形から長方形に変形し、又、長方形に変形した収納袋取り出し口６の外装袋７をクリップ３ａ、３ｂで挟むことで収納袋８を取り出す際、収納袋取り出し口６にかかる負荷が無くなり、外装袋７の破け防止になることを特徴とする袋取り出し補助具。
【発明の詳細な説明】
【技術分野】
【０００１】  この発明は、ごみ袋などのプラスチック製の袋（以下、総称して「収納袋」と記す）を一袋に複数枚収納した外装袋から収納袋を容易に一枚ずつ取り出すことを目的とした補助具に関する。
【背景技術】
【０００２】  従来、収納袋を複数枚収納した外装袋には、収納袋の取り出し口がミシン目で楕円形に設けられている、ミシン目に沿って切り取り、そこから収納袋を一枚ずつ指で摘まんで取り出して使用する。ところが、外装袋の内部に収納袋が折り曲げられ隙間なく一杯に詰まっているため、一枚だけ取り出そうとしても、意に反して複数枚の収納袋を取り出してしまうことがある。さらに、外装袋の収納袋取り出し口が小さいため、収納袋を取り出す際、収納袋取り出し口に負荷がかかり破れ易く外装袋として使用できなくなる問題があった。
【発明の概要】
【発明が解決しようとする課題】
【０００３】  外装袋内に複数枚収納されている収納袋は折り曲げられ隙間なく一杯に詰まっているため一枚ずつ取り出すことが難しい、そこで、外装袋から収納袋を取り出す際、収納袋の滑りを良くし容易に一枚ずつ取り出すことができ、しかも、外装袋から収納袋を取り出す際、外装袋の収納袋取り出し口にかかる負荷を無くし外装袋の破けを防止できる補助具を提供することを課題とする。
【課題を解決するための手段】
【０００４】  外装袋７から複数枚収納されている収納袋８を一枚ずつ取り出すために、外装袋７の収納袋取り出し口６から反発力を有する材質からなる挿入フレーム１ａ、１ｂで外装袋７内の収納袋８を前後から挟むように外装袋７と収納袋８の間に挿入し、挿入フレーム１ａ、１ｂの反発力を利用して外装袋７と収納袋８の間に空間５を確保することを特徴とする袋取り出し補助具。【０００５】  挿入フレーム１ａ、１ｂを外装袋７内に挿入しやすくするため、挿入フレーム１ａと１ｂの間隔を縮めることが容易に出来るよう、挿入フレーム１ａ、１ｂに挿入フレーム押し部２ａ、２ｂを設けたことを特徴とする袋取り出し補助具。【０００６】  挿入フレーム１ａ、１ｂの最上部にマグネットを用いたクリップ３ａ、３ｂを左右に設け、クリップ３ａ、３ｂで収納袋取り出し口６の外装袋７を挟み固定し、本発明の補助具と外装袋７が外れないようにすることを特徴とする袋取り出し補助具。【０００７】  挿入フレーム１ａ、１ｂを外装袋７内に挿入することで、外装袋７の収納袋取り出し口６が挿入フレーム１ａ、１ｂの各二本ずつ四本のフレームの棒で楕円形から長方形に変形し、又、長方形に変形した収納袋取り出し口６の外装袋７をクリップ３ａ、３ｂで挟むことで収納袋８を取り出す際、収納袋取り出し口６にかかる負荷が無くなり、外装袋７の破け防止になることを特徴とする袋取り出し補助具。
【発明の効果】
【０００８】  本発明の、袋取り出し補助具は、反発力を有する挿入フレーム１ａ、１ｂを外装袋７と収納袋８の間に挿入することで外装袋７内に空間５が作られ収納袋８を取り出す際、収納袋８の滑りが良くなり、又、挿入フレーム１ａ、１ｂの補助具袋取り出し部４が長方形を形成し外装袋７に収納されている収納袋８を摘まみ易くなり、クリップ３ａの上面に片手の指を添えることで収納袋８を一枚ずつ取り出すことが容易に出来るようになり外装袋７も最後まで破けず使用できる。
【発明を実施するための形態】
【０００９】  本発明の、袋取り出し補助具の実施形態をもとに図面を参照に説明する。
図１挿入フレーム１ａ、１ｂは外装袋７内に図２空間５を設けるために反発力を有する材質、金属、プラスチック類の丸く細い棒から出来ており外装袋７内の収納袋８を前後から挟むように外装袋７内に挿入するため挿入フレーム１ａ、１ｂを前後に配置し、外装袋７内の収納袋８の折り曲げ部の有る外装袋７内下部に、より多くの空間５を設けるために挿入フレーム１ａ、１ｂの下部に１ａと１ｂの間隔の広がりを見せる形状である。
【００１０】  図１反発力を有する挿入フレーム１ａ、１ｂの中間部に、挿入フレーム押し部２ａ、２ｂを配置し、挿入フレーム押し部２ａと２ｂの間隔を片手で縮めて挿入フレーム１ａ、１ｂを外装袋７内に挿入しやすくする。
【００１１】  図１挿入フレーム１ａ、１ｂの最上部に、クリップ３ａ、３ｂを左右に設ける、実施例として、このクリップは、３ａ側にマグネットを設け、３ｂ側に金属板を設けて、一つのクリップの形態を作り使用、クリップ３ａの上面は外装袋７から収納袋８を取り出す際、指あてとなり、クリップ３ａの上面に片手の指を添え、もう片方の手で収納袋８を取り出すことを容易にする。クリップ３ｂは、挿入フレーム１ａ、１ｂを外装袋７内に挿入する際、挿入フレーム１ａ、１ｂと一緒に外装袋７内に入れ隙間から指で３ａ側に動かし、収納袋取り出し口６の外装袋７をクリップ３ａ、クリップ３ｂで挟み、本発明の補助具と外装袋７が外れないよう固定される。
【００１２】  図３挿入フレーム１ａ、１ｂを外装袋７内に挿入すると外装袋７がプラスチック製の袋で有るため、伸びて変形することを利用して、外装袋７の収納袋取り出し口６が挿入フレーム１ａ、１ｂの各二本ずつ四本のフレームの棒で楕円形から長方形に変形し、又、長方形に変形した収納袋取り出し口６の外装袋７をクリップ３ａ、３ｂで挟むことで外装袋７から収納袋８を取り出す際、収納袋取り出し口６にかかる負荷が無くなり、本発明の補助具袋取り出し部４から収納袋８を取り出す際、外装袋７の破れ防止になり最後まで外装袋として使える。
【図面の簡単な説明】
【００１３】
【図１】袋取り出し補助具の斜視図。
【図２】袋取り出し補助具を外装袋内に挿入した横面断面図。
【図３】袋取り出し補助具を外装袋内に挿入し、収納袋取り出し口と補助具袋取り出し部が長方形を形成した上面図。
【符号の説明】
【００１４】  １ａ  挿入フレーム
１ｂ  挿入フレーム
２ａ  挿入フレーム押し部
２ｂ  挿入フレーム押し部
３ａ  クリップマグネット側
３ｂ  クリップ金属板側
４    補助具袋取り出し部
５    空間
６    収納袋取り出し口
７    外装袋
８    収納袋
【図１】
2011011816.tif 000003
【図２】
2011011816.tif 000004
【図３】
2011011816.tif 000005